(57)【特許請求の範囲】
【請求項１】
それぞれが複数のプログラムからなる複数のジョブ間のデータフロー図を作成し表示するデータフロー自動生成装置であって、
ＣＰＵと、表示手段（端末装置）と、データフロー自動生成プログラム及び汎用の描画用コンピュータ制御ソフトウェアを記憶した主記憶手段と、
予め前記複数のジョブの各ジョブ制御文を解析して生成された、ジョブ名、当該ジョブを構成するプログラム名、ＤＤ名、当該ＤＤの入出力対象がデータセットであるかリストであるかを表す入出力ファイル区分およびデータセット名を少なくとも含むＪＣＬ解析情報を記憶するＪＣＬ解析情報記憶手段と、
予め前記システムのソースプログラムを解析して生成された、プログラム名、ＤＤ名およびデータセットの入出力区分を含むプログラム解析情報を記憶するプログラム解析情報記憶手段と、を備え、
前記ＣＰＵは、
前記データフロー自動生成プログラムを実行することにより、
前記プログラム解析情報におけるプログラム名およびＤＤ名と、予め特定された複数のジョブのそれぞれの前記ＪＣＬ解析情報におけるプログラム名およびＤＤ名とを比較して、プログラム名およびＤＤ名が一致する複数のジョブを抽出し、
抽出した各ジョブに対応するように、前記ＪＣＬ解析情報に、描画対象として描画フラグをセットするとともに、前記プログラム解析情報において一致するプログラム名およびＤＤ名に対応するデータセットの入出力区分を付加することにより、データフロー図描画情報を生成し、
前記描画用コンピュータ制御ソフトウェアに対し、前記データフロー図描画情報を用いて、抽出した各ジョブのジョブ名、当該ジョブを構成するプログラム名、各ジョブ間で入出力されるデータセット名を含む、各ジョブ間のデータフロー図を生成して上記表示手段に表示させる、
ことを特徴とするデータフロー自動生成装置。
【請求項２】
請求項１に記載のデータフロー自動生成装置であって、
予め作成された、前記プログラム解析情報では得られないユーティリティに関するＤＤ名と入出力区分を定義したユーティリティ情報を記憶するユーティリティ情報記憶手段を備え、
前記ＣＰＵは、前記データフロー自動生成プログラムを実行することにより、
前記ユーティリティ情報記憶手段が記憶した前記ユーティリティ情報において、前記一致したプログラム名およびＤＤ名に対応して登録されている入出力区分を抽出し、前記ＪＣＬ解析情報における当該プログラム名およびＤＤ名に対応して付加して前記データフロー図描画情報を生成する
ことを特徴とするデータフロー自動生成装置。
【請求項３】
ＣＰＵと、
表示手段（端末装置）と、
データフロー自動生成プログラム及び汎用の描画用コンピュータ制御ソフトウェアを記憶した主記憶手段と、
予め前記複数のジョブの各ジョブ制御文を解析して生成された、ジョブ名、当該ジョブを構成するプログラム名、ＤＤ名、当該ＤＤの入出力対象がデータセットであるかリストであるかを表す入出力ファイル区分およびデータセット名を少なくとも含むＪＣＬ解析情報を記憶するＪＣＬ解析情報記憶手段と、
予め前記システムのソースプログラムを解析して生成された、プログラム名、ＤＤ名およびデータセットの入出力区分を含むプログラム解析情報を記憶するプログラム解析情報記憶手段と、を備え、
それぞれが複数のプログラムからなる複数のジョブ間のデータフロー図を生成するデータフロー自動生成装置のデータフロー自動生成方法であって、
前記ＣＰＵは、
前記データフロー自動生成プログラムを実行することにより、
前記プログラム解析情報におけるプログラム名およびＤＤ名と、予め特定された複数のジョブのそれぞれの前記ＪＣＬ解析情報におけるプログラム名およびＤＤ名とを比較して、プログラム名およびＤＤ名が一致する複数のジョブを抽出し、
抽出した各ジョブに対応するように、前記ＪＣＬ解析情報に、描画対象として描画フラグをセットするとともに、前記プログラム解析情報において一致するプログラム名およびＤＤ名に対応するデータセットの入出力区分を付加することにより、データフロー図描画情報を生成し、
前記描画用コンピュータ制御ソフトウェアに対し、前記データフロー図描画情報を用いて、抽出した各ジョブのジョブ名、当該ジョブを構成するプログラム名、各ジョブ間で入出力されるデータセット名を含む、各ジョブ間のデータフロー図を生成して上記表示手段に表示させる、
ことを特徴とするデータフロー自動生成方法。
【請求項４】
請求項３に記載のデータフロー自動生成方法であって、
前記データフロー自動生成装置は、
予め作成された、前記プログラム解析情報では得られないユーティリティに関するＤＤ名と入出力区分を定義したユーティリティ情報を記憶するユーティリティ情報記憶手段を備え、
前記ＣＰＵは、前記データフロー自動生成プログラムを実行することにより、
前記ユーティリティ情報記憶手段が記憶した前記ユーティリティ情報において、前記一致したプログラム名およびＤＤ名に対応して登録されている入出力区分を抽出し、前記ＪＣＬ解析情報における当該プログラム名およびＤＤ名に対応して付加して前記データフロー図描画情報を生成する
ことを特徴とするデータフロー自動生成方法。
【請求項５】
ＣＰＵと、
表示手段（端末装置）と、
データフロー自動生成プログラム及び汎用の描画用コンピュータ制御ソフトウェアを記憶した主記憶手段と、
予め前記複数のジョブの各ジョブ制御文を解析して生成された、ジョブ名、当該ジョブを構成するプログラム名、ＤＤ名、当該ＤＤの入出力対象がデータセットであるかリストであるかを表す入出力ファイル区分およびデータセット名を少なくとも含むＪＣＬ解析情報を記憶するＪＣＬ解析情報記憶手段と、
予め前記システムのソースプログラムを解析して生成された、プログラム名、ＤＤ名およびデータセットの入出力区分を含むプログラム解析情報を記憶するプログラム解析情報記憶手段と、を備え、
それぞれが複数のプログラムからなる複数のジョブ間のデータフロー図を生成するデータフロー自動生成装置の、前記ＣＰＵに、
前記プログラム解析情報におけるプログラム名およびＤＤ名と、予め特定された複数のジョブのそれぞれの前記ＪＣＬ解析情報におけるプログラム名およびＤＤ名とを比較して、プログラム名およびＤＤ名が一致する複数のジョブを抽出し、
抽出した各ジョブに対応するように、前記ＪＣＬ解析情報に、描画対象として描画フラグをセットするとともに、前記プログラム解析情報において一致するプログラム名およびＤＤ名に対応するデータセットの入出力区分を付加することにより、データフロー図描画情報を生成し、
前記描画用コンピュータ制御ソフトウェアに対し、前記データフロー図描画情報を用いて、抽出した各ジョブのジョブ名、当該ジョブを構成するプログラム名、各ジョブ間で入出力されるデータセット名を含む、各ジョブ間のデータフロー図を生成して上記表示手段に表示させる、
ためのデータフロー自動生成プログラムを記録したことを特徴とするコンピュータ読み取り可能な記録媒体。
【請求項６】
ＣＰＵと、
表示手段（端末装置）と、
データフロー自動生成プログラム及び汎用の描画用コンピュータ制御ソフトウェアを記憶した主記憶手段と、
予め前記複数のジョブの各ジョブ制御文を解析して生成された、ジョブ名、当該ジョブを構成するプログラム名、ＤＤ名、当該ＤＤの入出力対象がデータセットであるかリストであるかを表す入出力ファイル区分およびデータセット名を少なくとも含むＪＣＬ解析情報を記憶するＪＣＬ解析情報記憶手段と、
予め前記システムのソースプログラムを解析して生成された、プログラム名、ＤＤ名およびデータセットの入出力区分を含むプログラム解析情報を記憶するプログラム解析情報記憶手段と、
予め作成された、前記プログラム解析情報では得られないユーティリティに関するＤＤ名と入出力区分を定義したユーティリティ情報を記憶するユーティリティ情報記憶手段と、を備え、
それぞれが複数のプログラムからなる複数のジョブ間のデータフロー図を生成するデータフロー自動生成装置の、前記ＣＰＵに、
前記プログラム解析情報におけるプログラム名およびＤＤ名と、予め特定された複数のジョブのそれぞれの前記ＪＣＬ解析情報におけるプログラム名およびＤＤ名とを比較して、プログラム名およびＤＤ名が一致する複数のジョブを抽出し、
抽出した各ジョブに対応するように、前記ＪＣＬ解析情報に、描画対象として描画フラグをセットするとともに、前記プログラム解析情報において一致するプログラム名およびＤＤ名に対応するデータセットの入出力区分を付加することにより、データフロー図描画情報を生成し、
前記ユーティリティ情報記憶手段が記憶した前記ユーティリティ情報において、前記一致したプログラム名およびＤＤ名に対応して登録されている入出力区分を抽出し、前記ＪＣＬ解析情報における当該プログラム名およびＤＤ名に対応して付加して前記データフロー図描画情報を生成し、
前記描画用コンピュータ制御ソフトウェアに対し、前記データフロー図描画情報を用いて、抽出した各ジョブのジョブ名、当該ジョブを構成するプログラム名、各ジョブ間で入出力されるデータセット名を含む、各ジョブ間のデータフロー図を生成して上記表示手段に表示させる、
ためのデータフロー自動生成プログラムを記録したことを特徴とするコンピュータ読み取り可能な記録媒体。
【発明の詳細な説明】
【０００１】
【発明の属する技術分野】
本発明は、リエンジニアリング技術を元にデータの流れと入出力に着目して、再構築が可能なデータフロー図を生成する方法に関し、特に、これにより既存のシステムの全体概要を把握する支援を行うとともに、システムの再構築を行う際の工数の削減を図ることが可能なデータフロー自動生成方法に関する。
【０００２】
【従来の技術】
従来より、ソフトウェアの生産、保守、再構築といったソフトウェアのライフサイクルにおいて、再構築作業は度重なる変更により当初のシステム構成が変化する。その調査分析作業は基本的に手作業であり、多大な工数と費用および経験のある要員が必要であった。
このことから、既存のソフトウェア資産を解析して、システムを効率よく再構築するに当って、既存のソフトウェア資産を解析し、各種仕様書を自動生成するリエンジニアリング技術が開発され活用されている。
【０００３】
なお、一般のシステム解析方法としては、例えば、特開２００１−９２６５１号公報に記載のシステム解析装置がある。これは、既存のジョブ制御文（以下、ＪＣＬと記す）とプログラムを解析して、ＪＣＬ上に定義された全てのデータセット、リスト出力（帳票）をジョブフロー図としてプリンタ上に出力するものである。
【０００４】
【発明が解決しようとする課題】
前述の従来技術によるジョブフロー図生成技法では、ジョブ単位、プログラム単位の機能を把握するものであり、既存のソフトウェア資産が膨大な場合には、それに比例して膨大なジョブフロー図が生成され、システム全体を把握するためには困難である、という問題があった。
また、プリンタ上に出力されることから、システムの再構築に当って、新システムの設計を行う上で、新システムのジョブフロー図を作成するにはこれを再利用することができず、手作業によりジョブフロー図を作成しなければならない、という問題があった。
【０００５】
本発明の第１の目的は、これら従来の問題を解決し、ユーザプログラムに定義されているデータセットとリスト出力（帳票）に着目することにより、ジョブネット単位にマスタデータの流れ、および帳票出力しているジョブを容易に把握することができ、システム全体における概要を把握し、更にシステム再構築における改造箇所を容易に把握することが可能なデータフロー自動生成方法を提供することにある。
本発明の第２の目的は、上記のマスタデータがユーティリティを介して他のジョブに引き渡されている場合や、ユーティリティを利用して帳票を出力している場合があることから、ユーティリティによるデータの流れや帳票出力箇所もデータフロー図に反映させることが可能なデータフロー自動生成方法を提供することにある。
本発明の第３の目的は、基本設計時に必要とされるデータフロー図に関連付けてジョブフロー図を生成することにより、局所的に詳細を把握したい場合にジョブフロー図を参考にすることができ、更にデータフロー図、ジョブフロー図のいずれもＰｏｗｅｒｐｏｉｎｔ等の描画ソフトウェアに描画することにより、新システムの設計書として再利用することが可能なデータフロー自動生成方法を提供することにある。
【０００６】
【課題を解決するための手段】
上記第１の目的を達成するために、本発明のデータフロー自動生成方法は、既存のソフトウェア資産であるジョブ制御文（ＪＣＬ）とソースプログラムの解析情報から、ＪＣＬ上のプログラムに定義され、データセット区分が恒久データセットのデータセットについて、複数のジョブ間で定義されているデータセット、およびプログラムで定義されたリスト出力（帳票）に対して描画する情報を蓄積し、更に、上記プログラムの解析情報からプログラム名およびＤＤ名（ＪＣＬ上で入出力装置等を定義し、プログラムの論理ファイル名と対応付ける名称）をＪＣＬ解析情報と比較して、描画対象データセットの入出力情報を抽出し、抽出された上記入出力情報を上記描画情報に付加することで、指定されたジョブネット単位に、該描画情報を元にジョブ間のデータフロー図を生成することを特徴とする。
【０００７】
上記第２の目的を達成するために、本発明のデータフロー自動生成方法は、描画させたいユーティリティについて、ユーティリティ名称、ＤＤ名、入出力情報を定義したユーティリティ情報ファイルを作成し、ユーティリティ関連データセットを選択的にデータフロー図上に出力させることを特徴とする。
【０００８】
上記第３の目的を達成するために、本発明のデータフロー自動生成方法は、ＪＣＬ解析情報に定義された全てのデータセット、リスト出力（帳票）に関してプログラム情報およびユーティリティ情報から入出力情報を付加した描画情報をデータフロー図とは別に作成し、それぞれの描画情報からデータフロー図およびジョブフロー図を生成してＰｏｗｅｒｐｏｉｎｔを含む描画用コンピュータ制御ソフトウェアに表示させることを特徴とする。
【０００９】
【発明の実施の形態】
以下、本発明の実施例を、図面により詳細に説明する。
図２は、本発明のデータフロー自動生成プログラムを起動させるハードウェア環境の図である。
図２において、２０１はプログラムに基づく逐次処理能力を有するＣＰＵであり、図１の処理を制御する。２０２はキーボードとディスプレイ画面を有する対話式端末であり、利用者はジョブネット情報を入力し、また生成されたデータフロー図、ジョブフロー図が表示され、修正する際に用いられる。２０３は本発明のデータフロー自動生成プログラムを起動する主記憶装置である。２０４はデータフロー図を描画するジョブの実行順を指定するジョブネット情報を記憶したファイルであり、２０５はユーティリティ関連の入出力情報を定義したユーティリティ情報を記憶したファイルであり、２０６は既存のソフトウェア資産であるＪＣＬの解析情報を記憶したファイルであり、２０７はソースプログラムの解析情報を記憶したファイルである。
また、２０８は、本発明によるデータフロー図生成のための描画情報を記憶したファイルであり、２０９はジョブフロー図生成のための描画情報を記憶したファイルである。
【００１０】
図３は、ＪＣＬ解析情報を示す図である。
図３において、３０１はＪＣＬメンバ名、３０２はジョブステップ名、３０３はプログラム名、３０４はＤＤ名、３０５は区分、３０６はデータセット名、３０７がデータセット区分である。
区分３０５は入出力ファイルの種別を定義しており、‘ＤＳ’の場合はデータセットを示し、‘ＳＯ’の場合はリスト出力（帳票）を示す。これによって、データフロー図を描画する際の描画オブジェクトはデータセットオブジェクト、またはリスト出力（帳票）オブジェクトを描画する。
【００１１】
図４は、プログラム解析情報を示す図である。
図４において、４０１はプログラム名、４０２はＤＤ名、４０３はデータセットの入出力区分である。
【００１２】
図５は、ジョブネット情報を示す図である。
図５において、５０１はジョブネット名、５０２は実行されるＪＣＬメンバ名、５０３はＪＣＬメンバの実行順である。
利用者は、データフロー図描画対象のジョブネットを生成し、図２に示すジョブネット情報ファイル２０４に格納する。データフロー図は、このジョブネット情報のジョブネット名単位に作成される。
【００１３】
図６は、ユーティリティ情報を示す図である。
次に、プログラム情報では得られないユーティリティに関するＤＤ名と入出力区分を定義したユーティリティ情報を作成し、ユーティリティ情報ファイル２０５に格納する。
図６において、６０１はユーティリティ名、６０２はＤＤ名、６０３は入出力区分である。
【００１４】
図１は、本発明の一実施例を示すデータフロー自動生成方法の処理手順のフローチャートであり、図７はデータフロー図描画情報を示す図である。
図１に示すように、本発明においては、先ず、既存のソフトウェア資産であるＪＣＬ（図３参照）、およびソースプログラム（図４参照）を解析し（ステップ１０１）、解析情報をそれぞれＪＣＬ解析情報ファイル２０６とプログラム解析情報ファイル２０７に格納する。
次に、データフロー図描画対象のジョブネット（図５参照）を作成し（ステップ１０２）、ジョブネット情報ファイル２０４に格納する。次に、プログラム情報では得られないユーティリティに関するＤＤ名と入出力区分を定義してユーティリティ情報（図６参照）を作成し、ユーティリティ情報ファイル２０５に格納する（ステップ１０３）。
【００１５】
次に、ジョブネット情報（図５参照）のＪＣＬメンバ名５０２を、ＪＣＬ解析情報（図３参照）のＪＣＬメンバ名３０１と比較し、同じＪＣＬメンバ名のＪＣＬ解析情報についてデータフロー図描画情報（図７参照）に抽出し（ステップ１０４）、データフロー図描画情報ファイル２０８に格納する。
次に、ジョブネット情報（図５参照）のジョブネット名５０１をＪＣＬ解析情報に付加する（図７の７０１）。
ＪＣＬ解析情報（図３）では、ＪＣＬメンバＪＣＬ００１，ＪＣＬ００２，ＪＣＬ００３，ＪＣＬ００４，ＪＣＬ００５の解析情報３０１が抽出されているが、ジョブネット情報（図５）では、ジョブネットＪＮＴ００１（５０１）にはＪＣＬ００１，ＪＣＬ００２，ＪＣＬ００３（５０２）が指定されていることから、ＪＣＬ００１，ＪＣＬ００２，ＪＣＬ００３のみの情報を抽出して、図７のデータフロー図描画情報を生成する。
【００１６】
ＪＣＬからだけではＪＣＬ上に定義されたデータセットの入出力は判断できないため、プログラムを解析した情報から入出力情報をデータフロー図描画情報（図７参照）に付加する（ステップ１０５）。
プログラム解析情報（図４参照）とデータフロー図描画情報（図７参照）のプログラム名（４０１と７０３）を比較し、合致したプログラムについては、ＤＤ名（４０２と７０４）を比較する。プログラム名とＤＤ名とが合致した場合に、プログラム解析情報から入出力区分（４０３）をデータフロー図描画情報に付加する（図７の７０８）。
プログラム解析情報（図４参照）には、ユーティリティ情報は抽出されていないため、ＪＣＬ上に定義されたユーティリティの入出力情報については、更にユーティリティ情報（図６参照）を参照して、ユーティリティの入出力区分（６０３）をデータフロー図描画情報（図７の７０８）に付加する（ステップ１０６）。
【００１７】
次に、抽出されたデータフロー図描画情報（図７参照）を元に、ジョブ間でのデータセット名（７０６）を比較し、合致したデータセット名（７０９，７１０，７１１）について描画対象としての描画フラグ‘１’（７１２）をセットする（ステップ１０７）。ただし、同一ジョブ内で同一データセットを定義している場合で、他のジョブでは定義されていない場合（７１４）、描画対象外であると判断して描画フラグはセットしない。更に、データセット区分が‘一時’の場合（７１５）も、同様に描画対象外と判断して描画フラグはセットしない。また、データフロー図描画情報において、区分（７０５）が‘ＳＯ’の場合（７１３）には、描画対象として描画フラグをセットする。この描画フラグがセットされたデータセットおよびリスト出力（帳票）を、ジョブ間のデータの流れを示すデータフロー図描画情報とし（ステップ１０８）、この描画情報によりデータフロー図を描画する（ステップ１０９）。このデータフロー図描画により、データの流れを把握することが可能になる。
【００１８】
次に、ジョブフロー図に関しては、ジョブネット情報を参照しないため、ＪＣＬ解析情報に定義された全てのＪＣＬの情報について同様にプログラム解析情報（図４参照）、およびユーティリティ情報（図６参照）から入出力区分を付加し（図１のステップ１０５，１０６）、ジョブフロー図描画情報を作成して（ステップ１１０）、図２のジョブフロー図描画情報２０８に格納する。
この方法により、ジョブネット単位のデータフロー図、およびそれに関連したジョブフロー図が生成され、システム全体概要とジョブ単位の詳細なデータの流れの双方を把握することが可能になる。
【００１９】
図８は、データフロー図の出力例を示す図である。
図８において、８０１はデータフロー図描画情報（図７参照）のジョブネット名（７０１）、８０２はＪＣＬメンバ名（７０２）を描画している。ジョブ単位には処理ボックス（８０３）を描画し、処理ボックスの中（８０４）にデータフロー図描画情報から取得したプログラム名（７０３）を描画している。データフロー図は、このジョブ単位の処理ボックス間でのデータの流れを描画している。
区分（７０５）が‘ＤＳ’の場合には、データセットとして描画し（８０５）、そのデータセットオブジェクトの中（８０６）にはデータセット名（７０６）を描画する。区分（７０５）が‘ＳＯ’の場合には、リスト出力（帳票）として描画する（８０８）。データフロー図では、同一のデータセットがジョブ間で描画された場合、データの流れが把握し難いため、連結コネクタ（８０７）によりジョブ間の同一データセットを連結して描画する。
【００２０】
図９は、ジョブフロー図の出力例を示す図である。
図９において、９０１はジョブネット情報（図５参照）のジョブネット名（５０１）、９０２はＪＣＬ解析情報（図３参照）のジョブステップ名（３０２）を描画している。ジョブステップ単位の処理ボックス（９０３）とプログラム名（９０４）である。データフロー図と同様に、区分（３０５）が‘ＤＳ’の場合、データセットとして描画し（９０５）、データセット名（９０６）を更に表示している。データセット区分（３０７）が ‘一時’の場合には、点線のデータセット（９０７）として描画するため、一時データセットであることが容易に判断できる。また、区分（３０５）が‘ＳＯ’ の場合には、リスト出力（帳票）として描画する（９０８）。データフロー図、およびジョブフロー図は、それぞれＰｏｅｗｒｐｏｉｎｔを含む描画用コンピュータ制御ソフトウェアにより、端末装置（２０２）に表示され、その結果、再利用のために修正することが可能になる。
【００２１】
【発明の効果】
以上説明したように、本発明によれば、大規模システムにおけるサブシステム単位のデータの流れを容易に把握することが可能になり、システム分析作業工数の削減を図ることができる。また、システムの再構築において、生成されたデータフロー図を再利用することにより、新システムデータフロー図作成作業の工数の削減を図ることができる。
【図面の簡単な説明】
【図１】本発明の一実施例を示すデータフロー自動生成方法の処理手順のフローチャートである。
【図２】本発明のデータフロー自動生成プログラムを起動させるハードウェア環境の図である。
【図３】リエンジニアリング技術に基づいた既存ソフトウェア資産であるＪＣＬの解析情報の図である。
【図４】リエンジニアリング技術に基づいた既存ソフトウェア資産であるプログラムの解析情報の図である。
【図５】本発明のデータフロー図を描画する対象となるジョブネットおよびＪＣＬを指定したジョブネット情報の図である。
【図６】ユーティリティに関する入出力を定義したユーティリティ情報の図である。
【図７】本発明のデータフロー図を描画するための情報に集約したデータフロー図描画情報の図である。
【図８】本発明の実施例から描画したデータフロー図出力例の図である。
【図９】本発明の実施例から描画したジョブフロー図出力例の図である。
【符号の説明】
２０１…ＣＰＵ、２０２…端末装置、２０３…主記憶装置、
２０４…ジョブネット情報ファイル、２０５…ユーティリティ情報ファイル、
２０６…ＪＣＬ解析情報ファイル、２０７…プログラム解析情報ファイル、
２０８…データフロー図描画情報ファイル、
２０９…ジョブフロー図描画情報ファイル、３０１…ＪＣＬメンバ名、
３０２…ジョブステップ名、３０３…プログラム名、３０４…ＤＤ名、
３０５…ファイル区分、３０６…データセット名、３０７…データセット区分
４０１…プログラム名、４０２…ＤＤ名、
４０３…データセットの入出力区分、５０１…ジョブネット名、
５０２…実行されるＪＣＬメンバ名、５０３…ＪＣＬメンバの実行順、
６０１…ユーティリティ名、６０２…ＤＤ名、６０３…入出力区分、
７０１…ジョブネット名、７０２…ＪＣＬメンバ名、７０３…プログラム名、
７０４…ＤＤ名、７０５…ファイル区分、
７０６…ジョブ間でのデータセット名、７０７…データセット区分、
７０８…データセット入出力区分、
７０９，７１０，７１１…合致したデータセット名、７１２…描画フラグ、
７１３…区分が‘ＳＯ’の場合、
７１４…同一データセットを定義し、他のジョブでは定義されていない場合、
７１５…ワークファイルを示す。
【図１】
0004791660.tif 000002
【図２】
0004791660.tif 000003
【図３】
0004791660.tif 000004
【図４】
0004791660.tif 000005
【図５】
0004791660.tif 000006
【図６】
0004791660.tif 000007
【図７】
0004791660.tif 000008
【図８】
0004791660.tif 000009
【図９】
0004791660.tif 000010